(57)【要約】【課題】ＦＰＤ装置に複数の放射線画像データを記憶させると、放射線画像データと撮影オーダ情報とを確実に対応付けることが困難となる。【解決手段】コンソール７は、記憶部２１に記憶された撮影オーダ情報リストの中から一の撮影オーダ情報を選択する。そして、選択された一の撮影オーダ情報と他の撮影オーダ情報とが所定の関係を有するか否かを判別する。その後、選択された一の撮影オーダ情報及び当該一の撮影オーダ情報と所定の関係を有する撮影オーダ情報をＰＤＡに送信する。【選択図】図９
2008188330.tif 000002
【特許請求の範囲】
【請求項１】
放射線撮影に係る複数の撮影オーダ情報を記憶する制御装置と、
前記複数の撮影オーダ情報の中から選択された少なくとも二以上の撮影オーダ情報を記憶する携帯情報端末装置と、
前記二以上の撮影オーダ情報に対応する放射線画像データを生成及び記憶可能な放射線画像検出装置と、
を備え、これらが通信可能に接続された放射線画像撮影システムであって、
前記二以上の撮影オーダ情報を選択するにあたり、前記制御装置に記憶された複数の撮影オーダ情報の中から少なくとも一の撮影オーダ情報を選択する撮影オーダ情報選択手段と、
該撮影オーダ情報選択手段により選択された一の撮影オーダ情報と、当該一の撮影オーダ情報とは異なる他の撮影オーダ情報と、が所定の関係を有するか否かを判別する判別手段と、
を有することを特徴とする放射線画像撮影システム。
【請求項２】
光電変換素子を備える放射線画像検出装置により放射線撮影するＦＰＤモードが選択された場合に、前記撮影オーダ情報選択手段による選択及び前記判別手段による判別を行うことを特徴とする請求項１に記載の放射線画像撮影システム。
【請求項３】
前記判別手段により所定の関係を有すると判別された他の撮影オーダ情報のみに追加選択の許可を与える許可手段を有することを特徴とする請求項１または２に記載の放射線画像撮影システム。
【請求項４】
前記判別手段による判別結果画面を表示する表示部と、
該表示部に表示された判別結果に基づいて、前記許可手段により追加選択の許可が与えられた撮影オーダ情報を入力する入力操作部と、
を有することを特徴とする請求項３に記載の放射線画像撮影システム。
【請求項５】
前記許可手段により追加選択の許可が与えられた撮影オーダ情報を自動的に追加選択することを特徴とする請求項３に記載の放射線画像撮影システム。
【請求項６】
前記判別手段は、撮影オーダ情報に含まれる患者情報に基づいて所定の関係を有するか否かを判別することを特徴とする請求項１乃至５の何れか１項に記載の放射線画像撮影システム。
【請求項７】
前記判別手段は、撮影オーダ情報に含まれる撮影部位及び撮影方向に基づいて所定の関係を有するか否かを判別することを特徴とする請求項１乃至６の何れか１項に記載の放射線画像撮影システム。
【請求項８】
複数の撮影オーダ情報から選択された少なくとも二以上の撮影オーダ情報を記憶する携帯情報端末装置と、通信可能に接続された制御装置であって、
前記複数の撮影オーダ情報を記憶する記憶部と、
前記二以上の撮影オーダ情報を選択するにあたり、前記記憶部に記憶された複数の撮影オーダ情報の中から少なくとも一の撮影オーダ情報を選択する撮影オーダ情報選択手段と、
該撮影オーダ情報選択手段により選択された一の撮影オーダ情報と、当該一の撮影オーダ情報とは異なる他の撮影オーダ情報と、が所定の関係を有するか否かを判別する判別手段と、
前記撮影オーダ情報選択手段により選択された一の撮影オーダ情報と、前記判別手段により所定の関係を有すると判別された他の撮影オーダ情報の中から選択された少なくとも一の撮影オーダ情報とを前記携帯情報端末装置に送信する送信部と、
を有することを特徴とする制御装置。
【請求項９】
光電変換素子を備える放射線画像検出装置により放射線撮影するＦＰＤモードが選択された場合に、前記撮影オーダ情報選択手段による選択及び前記判別手段による判別を行うことを特徴とする請求項８に記載の制御装置。
【請求項１０】
前記判別手段により所定の関係を有すると判別された他の撮影オーダ情報のみに追加選択の許可を与える許可手段を有することを特徴とする請求項８または９に記載の制御装置。
【請求項１１】
前記判別手段による判別結果画面を表示する表示部と、
該表示部に表示された判別結果に基づいて、前記許可手段により追加選択の許可が与えられた撮影オーダ情報を入力する入力操作部と、
を有することを特徴とする請求項１０に記載の制御装置。
【請求項１２】
前記許可手段により追加選択の許可が与えられた撮影オーダ情報を自動的に追加選択することを特徴とする請求項１０に記載の制御装置。
【請求項１３】
前記判別手段は、撮影オーダ情報に含まれる患者情報に基づいて所定の関係を有するか否かを判別することを特徴とする請求項８乃至１２の何れか１項に記載の制御装置。
【請求項１４】
前記判別手段は、撮影オーダ情報に含まれる撮影部位及び撮影方向に基づいて所定の関係を有するか否かを判別することを特徴とする請求項８乃至１３の何れか１項に記載の制御装置。
【発明の詳細な説明】
【技術分野】
【０００１】
本発明は、放射線画像検出装置と携帯情報端末装置と制御装置とを用いた放射線画像撮影システム及びその制御装置に関する。
【背景技術】
【０００２】
医療診断の場においては、放射線画像をデジタルデータとして取り扱うことのできるＣＲ（Ｃｏｍｐｕｔｅｄ  Ｒａｄｉｏｇｒａｐｈｙ）システムが実用化されている。このＣＲシステムは、ＣＲカセッテに内蔵された蛍光体プレートを励起光で走査することにより放射線画像データを読み取る読取装置と、当該読取装置で読み取られた放射線画像データを取得する制御装置（コンソールともいわれる）とが接続されて構成されている。そして、放射線撮影室で放射線が照射されたＣＲカセッテを読取装置で読み取り、得られた放射線画像データを制御装置に送信して表示することで、放射線技師は最適な放射線画像データが得られたか否かを確認することができる。
【０００３】
また、複数の放射線撮影室を備える医療機関等での使用に対応するため、複数の読取装置と複数の制御装置とをネットワークで接続した大規模なＣＲシステムの導入が提案されている（特許文献１参照）。この特許文献１に記載されるような大規模ＣＲシステムにおいては、撮影する患者が一度に複数存在し、また撮影操作する放射線技師も複数存在するため、患者間で放射線画像データの取り違えが生じる恐れがある。そこで、予め、患者情報（患者の氏名、年齢など）や撮影情報（撮影日時、撮影部位、撮影方向など）などが含まれた撮影オーダ情報と呼ばれる指示情報を生成し、当該撮影オーダ情報とＣＲカセッテを識別するためのカセッテＩＤ（識別情報）とを対応付けて登録しておく方法がとられている。このように一の撮影オーダ情報と一のＣＲカセッテとを対応付けることにより、ＣＲカセッテを読取装置により読み取って得られた放射線画像データは、ＣＲカセッテのカセッテＩＤに基づいて撮影オーダ情報に対応付けられるので、放射線画像データの取り違えを防止することが可能となる。
【０００４】
ところで、近年では、重症などの理由により放射線撮影室まで移動が困難な患者に対しても放射線撮影を可能とするため、移動型の回診用放射線照射装置が実現されており、この回診用放射線照射装置とともに携帯情報端末装置（ＰＤＡ：Ｐｅｒｓｏｎａｌ  Ｄｉｇｉｔａｌ  Ａｓｓｉｓｔａｎｃｅ）を携帯して回診することで、回診先での撮影作業を円滑に行う方法が提供されている（例えば、特許文献２参照）。一般的に、ＰＤＡを用いた回診撮影の方法は、まず、回診先で撮影予定の撮影オーダ情報を制御装置からＰＤＡに送信し、当該撮影オーダ情報をＰＤＡに記憶させた後、当該ＰＤＡ、回診用放射線照射装置及び撮影枚数分のＣＲカセッテを回診先に運ぶ。そして、回診先において、撮影する撮影オーダ情報をＰＤＡに表示させて、ＰＤＡに備えられたバーコードリーダでＣＲカセッテのバーコード（カセッテＩＤ）を読み取ることで、表示された撮影オーダ情報とカセッテＩＤとが対応付けられる。その後、撮影オーダ情報に基づいて回診用放射線照射装置を操作してＣＲカセッテに放射線画像を蓄積させ、当該ＣＲカセッテを読取装置で読み取り、得られた放射線画像データを制御装置に送信する。また、ＰＤＡに記憶された撮影オーダ情報とカセッテＩＤとの対応関係を制御装置に送信し、制御装置で撮影オーダ情報と放射線画像データが対応付けられる。このように、ＰＤＡを回診先に携帯することにより、回診先で撮影オーダ情報を確認した後、当該撮影オーダ情報とＣＲカセッテとを対応付けて撮影を行うことができるので、放射線画像データの取り違えを確実に防止することができる。
【０００５】
一方、上述したＣＲカセッテに代わり、基板上に２次元的に配列された放射線検出素子を内蔵し、当該放射線検出素子に照射された放射線量に応じた電気信号を出力することが可能なＦＰＤ（Ｆｌａｔ  Ｐａｎｅｌ  Ｄｅｔｅｃｔｏｒ）装置が放射線画像検出装置として提案されている（例えば、特許文献３参照）。このＦＰＤ装置を用いれば、励起光を照射して放射線画像を読み取る読取装置を必要とせず、直接的に放射線画像データを得ることができるので、ＣＲカセッテを用いた場合よりもシステム自体を簡素化することが可能となり、撮影作業も円滑となる。また、ＦＰＤ装置に内蔵された記憶部により複数の放射線画像データを記憶することができるので、一度に連続して複数の撮影を行うことが可能となり、撮影効率が向上する。
【０００６】
ＦＰＤ装置は優れた利便性を備えているため、今後は、上記ＣＲカセッテに取って代わりＦＰＤ装置が適用されることが想定される。特に、一度の回診で複数枚の撮影が一般的に行われる回診撮影では、ＦＰＤ装置を利用することにより、回診先に撮影枚数分のＣＲカセッテを持ち運ぶ必要がなくなるため、撮影作業が非常に簡便となる。
【特許文献１】特開２００２−１５９４７６号公報
【特許文献２】特開２００４−１４７９１０号公報
【特許文献３】特開２００６−１２２３０４号公報
【発明の開示】
【発明が解決しようとする課題】
【０００７】
しかしながら、上述したようなＰＤＡを用いた回診撮影において、ＣＲカセッテの代わりにＦＰＤ装置を利用すると、撮影オーダ情報と放射線画像データとを誤って対応付けてしまう可能性があり、更にこの誤った対応付けに気づかないまま診察が進んでしまうという問題が発生する。
【０００８】
例えば、一度の回診撮影において、一のＦＰＤ装置を利用して複数枚の撮影を行う場合の撮影手順は、まず、撮影予定である複数の撮影オーダ情報をＰＤＡに記憶させ、当該ＰＤＡに記憶された複数の撮影オーダ情報と一のＦＰＤ装置とを対応付ける。そして、撮影オーダ情報に含まれるオーダ番号の若い順に撮影を実行し、一のＦＰＤ装置に複数撮影分の放射線画像データを記憶させる。そして、ＦＰＤ装置に記憶された複数の放射線画像データ、及び、ＰＤＡに記憶された撮影オーダ情報とＦＰＤ装置との対応付け情報を、制御装置に送信する。その後、制御装置により、オーダ番号及び撮影順に基づいて撮影オーダ情報と放射線画像データの対応付けが行われる。
【０００９】
しかし、例えば、患者や医師の都合により、放射線撮影を実行する順序を入れ替えると、制御装置で放射線画像データと撮影オーダ情報とを誤って対応付けてしまう。このとき、複数の放射線画像データが、例えば、撮影部位が同一である（あるいは類似する）複数の患者の放射線画像データであると、放射線画像データをそれぞれ見分けることができず、誤った対応付けに気づくことは困難である。このため、放射線画像データと撮影オーダ情報とを正確に対応付けることができないこととなり、ひいては重大な医療ミスに繋がることが危惧される。
【００１０】
そこで本発明は、上記の課題に鑑みてなされたものであって、放射線画像検出装置としてＦＰＤ装置を使用した場合であっても、撮影オーダ情報と放射線画像データとを正確に対応付けることが可能である放射線画像撮影システム及びその制御装置の提供を目的とする。
【課題を解決するための手段】
【００１１】
上記目的を達成するため本発明の放射画像撮影システムは、放射線撮影に係る複数の撮影オーダ情報を記憶する制御装置と、前記複数の撮影オーダ情報の中から選択された少なくとも二以上の撮影オーダ情報を記憶する携帯情報端末装置と、前記二以上の撮影オーダ情報に対応する放射線画像データを生成及び記憶可能な放射線画像検出装置と、を備え、これらが通信可能に接続された放射線画像撮影システムであって、前記二以上の撮影オーダ情報を選択するにあたり、前記制御装置に記憶された複数の撮影オーダ情報の中から少なくとも一の撮影オーダ情報を選択する撮影オーダ情報選択手段と、該撮影オーダ情報選択手段により選択された一の撮影オーダ情報と、当該一の撮影オーダ情報とは異なる他の撮影オーダ情報と、が所定の関係を有するか否かを判別する判別手段と、を有することを特徴とする。
【００１２】
また、上記目的を達成するため本発明の制御装置は、複数の撮影オーダ情報から選択された少なくとも二以上の撮影オーダ情報を記憶する携帯情報端末装置と、通信可能に接続された制御装置であって、前記複数の撮影オーダ情報を記憶する記憶部と、前記二以上の撮影オーダ情報を選択するにあたり、前記記憶部に記憶された複数の撮影オーダ情報の中から少なくとも一の撮影オーダ情報を選択する撮影オーダ情報選択手段と、該撮影オーダ情報選択手段により選択された一の撮影オーダ情報と、当該一の撮影オーダ情報とは異なる他の撮影オーダ情報と、が所定の関係を有するか否かを判別する判別手段と、前記撮影オーダ情報選択手段により選択された一の撮影オーダ情報と、前記判別手段により所定の関係を有すると判別された他の撮影オーダ情報の中から選択された少なくとも一の撮影オーダ情報とを前記携帯情報端末装置に送信する送信部と、を有することを特徴とする。
【発明の効果】
【００１３】
本発明によれば、操作者は放射線画像データをそれぞれ見分ける（区別する）ことができるので、放射線画像データと撮影オーダ情報とが誤って対応付けられていたとしてもその誤りを容易に判断することが可能となる。したがって、放射線画像データと撮影オーダ情報とを正確に対応付けることが可能となり、放射線画像データの取り違えを防止し、ひいては医療ミスの発生を抑止することができる。
【発明を実施するための最良の形態】
【００１４】
以下、図面を参照して本発明の実施の形態を説明する。なお、本実施の形態の説明における記載により、本発明の技術的範囲が限定されることはない。
【００１５】
図１は、本発明に係るＲＩＳ（Ｒａｄｉｏｌｏｇｙ  ｉｎｆｏｍａｔｉｏｎ  ｓｙｓｔｅｍ）１における一実施形態の概略構成を示す図である。
【００１６】
本実施形態による、放射線画像撮影システムとしてのＲＩＳ１は、図１に示すように、放射線撮影に関する撮影オーダ情報を管理する管理サーバ２と、ＣＲカセッテ９を読み取って放射線画像データを得る読取装置３と、例えば無線ＬＡＮ（Ｌａｃａｌ  Ａｒｅａ  Ｎｅｔｗｏｒｋ）により無線通信を行うための基地局５と、生成された放射線画像データに画像処理を行うコンソール７とがネットワーク８を通じて接続されて構成されている。また、移動可能な回診用放射線照射装置４、放射線画像検出装置としてのＦＰＤカセッテ６及びＣＲカセッテ９を備えるとともに、コンソール７には、クレードル１０ｂを介してＰＤＡ（Ｐｅｒｓｏｎａｌ  Ｄｉｇｉｔａｌ  Ａｓｓｉｓｔａｎｃｅ）１０ａが接続されている。
【００１７】
なお、ここでは図示してないが、ＲＩＳ１は、患者診断情報や会計情報を一元管理するＨＩＳ（Ｈｏｓｐｉｔａｌ  Ｉｎｆｏｒｍａｔｉｏｎ  ｓｙｓｔｅｍ）とネットワーク８を介して接続されている。また、読取装置３やコンソール７は、ＲＩＳ１を設置する施設の規模、形態に合わせて複数設けられていて良い。ここで、ネットワーク８は、システム専用の通信回線であっても良いが、システム構成の自由度が低くなってしまう等の理由のため、イーサネット（登録商標）等の既存の回線である方が好ましい。
【００１８】
管理サーバ２はコンピュータで構成されており、管理サーバ２を構成する各部を制御する制御部、各種情報やユーザの指示を入力する入力操作部、及び、各種情報を記憶する外部記憶装置等が設けられている（いずれも図示しない）。制御部は、入力操作部から入力された患者情報と撮影情報とを対応付けて撮影オーダ情報を生成し、生成された複数の撮影オーダ情報を外部記憶装置に記憶させるようになっている。
【００１９】
図５は、複数の撮影オーダ情報からなる撮影オーダ情報リストの一例を示す図である。図５に示すように、各撮影オーダ情報は、患者情報としての「患者ＩＤ」Ｐ２、「患者氏名」Ｐ３、「性別」Ｐ４、「年齢」Ｐ５、「病室」Ｐ６及び撮影情報としての「診療科」Ｐ７、「撮影部位」Ｐ８、「撮影方向」Ｐ９を含んで構成されている。そして、撮影オーダを受け付けた順に、それぞれの撮影オーダ情報に対して「撮影オーダＩＤ」Ｐ１が自動的に割り当てられるようになっている。なお、患者情報や撮影情報としては上述したものに限られることなく、例えば、患者の生年月日、診察回数、放射線の線量などの情報を含むようにしても構わない。また、これらの情報を全て含む必要はなく、撮影目的、撮影フローなどに合わせて撮影オーダ情報に含む情報を適宜設定することができる。
【００２０】
図１に戻り、読取装置３は、ＣＲカセッテ９を読み取る読取装置であり、ＣＲカセッテ９が挿入口（図示せず）から挿入されると、ＣＲカセッテ９に内蔵された輝尽製蛍光体プレートに励起光を照射し、これにより輝尽性蛍光体プレートから発光される輝尽発光光を光電変換し、Ａ／Ｄ変換することで、放射線画像データを得るものである。
【００２１】
回診用放射線照射装置４は、回診先の病室などへ移動可能に構成されており、図示しない操作部により設定された撮影条件に基づいて、放射線管球４ａから放射線を照射する。
【００２２】
基地局５は、ＦＰＤカセッテ６とコンソール７とが無線通信する際に、これらの通信を中継する機能をもつ。
〈コンソール〉
図２（Ａ）は、コンソール７の要部構成を示すブロック図である。
【００２３】
制御装置としてのコンソール７は、図２（Ａ）に示すように、制御部１４、ＲＡＭ１５、ＲＯＭ１６、表示部１７、入力操作部１８、通信部１９、記憶部２１等を備えるコンピュータで構成されており、各部はバス２０により接続されている。
【００２４】
ＲＯＭ（Ｒｅａｄ  Ｏｎｌｙ  Ｍｅｍｏｒｙ）１６は、不揮発性の半導体メモリ等により構成され、制御部１４で実行される制御プログラムや画像処理条件等を記憶する。
【００２５】
ＲＡＭ（Ｒａｍｄｏｍ  Ａｃｃｅｓｓ  Ｍｅｍｏｒｙ）１５は、制御部１４により実行制御される各種処理において、ＲＯＭ１６から読み出された制御部１４で実行可能な各種プログラム、入力若しくは出力データ、及びパラメータ等の一時的に記憶するワークエリアを形成する。
【００２６】
表示部１７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等を備えて構成され、制御部１４から出力され入力される表示信号の指示に従って、各種画面を表示するようになっている。例えば、後述する通信部１９を介して管理サーバ２から受信した撮影オーダ情報リストを表示したりする。
【００２７】
入力操作部１８は、例えば、キーボードやマウス等から構成されており、キーボードで押下操作されたキーの押下信号やマウスによる操作信号を、入力信号として制御部１４に対して出力するようになっている。具体的には、表示部１７に表示された撮影オーダ情報リストの中から一の撮影オーダ情報を入力したり、撮影モードを入力したりすることができる。
【００２８】
送信部としての通信部１９は、ネットワーク８やクレードル１０ｂと接続するためのインターフェースとして機能し、ネットワーク８を介して管理サーバ２から撮影オーダ情報リストを受信するとともに、クレードル１０ｂに接続されたＰＤＡ１０ａと各種情報の送受信を行うことができる。また、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１規格に準拠した無線ＬＡＮにより、基地局５を介してＦＰＤカセッテ６との間で各種情報の無線通信を行うことも可能である。なお、無線通信としては、電波（空間波）を用いるものの他に、赤外線や可視光線等（レーザ等）を用いた光無線通信、音波または超音波を用いた音響通信も含まれる。
【００２９】
制御部１４は、例えば、ＣＰＵ（Ｃｅｎｔｒａｌ  Ｐｒｏｃｅｓｓｉｎｇ  Ｕｎｉｔ）等から構成され、ＲＯＭ１６に格納される所定のプログラムを読み出してＲＡＭ１５の作業領域に展開し、当該プログラムに従って各種処理を実行する。この制御部１４は通信部１９と協働して、管理サーバ２の外部記憶装置に記憶された撮影オーダ情報リストをネットワーク８を介して受信する。また、ＦＰＤカセッテ６から基地局５を介して無線通信により放射線画像データを受信し、この放射線画像データに対してＲＯＭ１６に格納される画像処理条件に基づいて正規化処理および階調処理等の画像処理を行うようになっている。更に、入力操作部１８から入力を受けて、後述する記憶部２１に記憶された複数の撮影オーダ情報の中から一の撮影オーダ情報を選択したり、当該一の撮影オーダ情報と記憶部２１に記憶された他の撮影オーダ情報とが所定の関係を有するか否かを判別したり、所定の関係を有する撮影オーダ情報のみに追加選択の許可を与えたりする。すなわち、この制御部１４が、撮影オーダ情報選択手段、判別手段及び許可手段に相当する。
【００３０】
記憶部２１は、管理サーバ２から送信された撮影オーダ情報リストやＦＰＤカセッテ６から送信された放射線画像データを記憶したり、また撮影オーダ情報と放射線画像データとを対応付けて記憶したりする。すなわち、記憶部２１が制御記憶部に相当する。
〈放射線画像検出装置〉
ＣＲカセッテ９は、放射線エネルギーの一部を蓄積する輝尽性蛍光体パネルを内蔵しており、回診用放射線照射装置４からの照射放射線量に対する検査対象（患者）の放射線透過率分布に従った放射線量を、内蔵された輝尽性蛍光体パネルの輝尽性蛍光体層に蓄積することにより、検査対象の放射線画像情報を記録する。また、ＣＲカセッテ９の筺体表面には、バーコード（図示せず）が付帯されており、後述するように、このバーコードをＰＤＡ１０ａの読取部１０７（バーコードリーダ）で読み取ることにより、ＣＲカセッテ９のカセッテＩＤを取得することができる。
【００３１】
ＦＰＤカセッテ６は、回診用放射線照射装置４からの照射放射線量に対する検査対象（患者）の放射線透過率分布に従った放射線量を検出することにより、放射線画像データを取得するものであり、カセッテにフラットパネルディテクタ（Ｆｌａｔ  Ｐａｎｅｌ  Ｄｅｔｅｃｔｏｒ：ＦＰＤ）とも呼ばれる撮像パネルが収容されてなる可搬型のカセッテＦＰＤ装置である。
【００３２】
以下、図３及び図４を用いて、ＦＰＤカセッテ６の構造について説明する。図３は、ＦＰＤカセッテ６の斜視図である。図３に示すように、ＦＰＤカセッテ６は、内部を保護する筐体６１を備えており、カセッテとして携帯可能に構成されている。
【００３３】
筐体６１の内部には、照射された放射線を電気信号に変換する画像データ生成部としての撮像パネル６２が層を成して形成されている。この撮像パネル６２における放射線の照射面側には、入射された放射線の強度に応じて発光を行う発光層（図示せず）が設けられている。
【００３４】
発光層は、一般にシンチレータ層と呼ばれるものであり、例えば、蛍光体を主たる成分とし、入射した放射線に基づいて、波長が３００ｎｍから８００ｎｍの電磁波、すなわち、可視光線を中心に紫外光から赤外光にわたる電磁波（光）を出力する。
【００３５】
この発光層の放射線が照射される側の面と反対側の面には、発光層から出力された電磁波（光）を電気エネルギーに変換して蓄積し、蓄積された電気エネルギーに基づく画像信号の出力を行う光電変換部がマトリクス状に配列された信号検出部６００が形成されている。なお、１つの光電変換部から出力される信号が、放射線画像データを構成する最小単位となる１画素に相当する信号となる。
【００３６】
ここで、撮像パネル６２の回路構成について説明する。図４は、光電変換部を二次元に配列した信号検出部６００の等価回路図である。図４に示すように、光電変換部の構成は、光電変換素子としてのフォトダイオード６０１と、フォトダイオード６０１で蓄積された電気エネルギーをスイッチングにより電気信号として取り出す薄膜トランジスタ（Ｔｈｉｎ  Ｆｉｌｍ  Ｔｒａｎｓｉｓｔｏｒ：ＴＦＴ）６０２とから構成されている。取り出された電気信号は、増幅器６０３により信号読み出し回路６０８が検出可能なレベルにまで増幅される。なお、増幅器６０３には、ＴＦＴ６０２とコンデンサで構成された図示しないリセット回路が接続されており、ＴＦＴ６０２にスイッチを入れることにより蓄積された電気信号をリセットするリセット動作が行われる。
【００３７】
画素を構成する光電変換部それぞれの間には、走査線Ｌｌと信号線Ｌｒが直交するように配設されている。前述のフォトダイオード６０１の一端にはＴＦＴ６０２が接続されており、このＴＦＴ６０２を介して信号線Ｌｒに接続されている。一方、フォトダイオード６０１の他端は、各行に配された隣接するフォトダイオード６０１の一端と接続されて共通のバイアス線Ｌｂを通じてバイアス電源６０４に接続されている。このバイアス電源６０４の一端は制御部６０に接続され、制御部６０からの指示によりバイアス線Ｌｂを通じてフォトダイオード６０１に電圧がかかる。
【００３８】
また各行に配されたＴＦＴ６０２のゲートは、共通の走査線Ｌｌに接続されており、走査線Ｌｌは、各光電変換素子にパルスを送る走査駆動回路６０９を介して制御部６０に接続されている。同様に、各列に配されたフォトダイオード６０１の一端は、共通の信号線Ｌｒに接続されて制御部６０に制御される信号読み出し回路６０８に接続されている。信号読み出し回路６０８には、撮像パネル６２から近い順に、増幅器６０３、サンプルホールド回路６０５、アナログマルチプレクサ６０６、Ａ／Ｄ変換機６０７が共通の信号線Ｌｒ上に配されている。
【００３９】
信号読み出し時においては、走査駆動回路６０９が駆動してＴＦＴ６０２を通電状態とすることで、フォトダイオード６０１に蓄積された電荷が電気信号として増幅器６０３に送信される。この電気信号は、増幅器６０３により信号読み出し回路６０８が検出可能なレベルにまで増幅される。そして、増幅器６０３の電圧値はサンプルホールド回路６０５で一時的保持された後、アナログマルチプレクサ６０６に与えられる。
【００４０】
アナログマルチプレクサ６０６では、得られた電圧値をシリアルな電気信号に変換してＡ／Ｄ変換機６０７に送信し、Ａ／Ｄ変換機６０７ではこの電気信号をデジタルデータに変換する。このようにして、撮像パネル６２により放射線画像データが生成される。
【００４１】
図３に戻り、ＦＰＤカセッテ６は、その他として画像記憶部６６、電源部６７、接続端子６９などを備えている。
【００４２】
画像記憶部６６は、不揮発性メモリやフラッシュメモリなどの書き換え可能なメモリ等からなり、撮像パネル６２から出力された数枚〜数十枚程度の放射線画像データを記憶することが可能である。この画像記憶部６６は内蔵型のメモリでもよいし、メモリカード等の着脱可能なメモリでもよい。
【００４３】
電源部６７は、ＦＰＤカセッテ６を構成する複数の駆動部（制御部６０、撮像パネル６２、画像記憶部６６など）に電力を供給する。この電源部６７は、例えば予備電池６７１と充電自在な充電池６７２とで構成されている。
【００４４】
接続端子６９は、クレードル１０ｂと接続するための端子であり、クレードル１０ｂを介してコンソール７と各種情報の送受信を行うことが可能となる。
【００４５】
図２（Ｂ）は、ＦＰＤカセッテ６の要部構成を示すブロック図である。図２（Ｂ）に示すように、ＦＰＤカセッテ６の制御系は、制御部６０、撮像パネル６２、画像記憶部６６、電源部６７、ＲＯＭ８１、ＲＡＭ８２、通信部８３等を備え、各部はバス８４により接続されている。なお、これらのうち、撮像パネル６２、画像記憶部６６、電源部６７については上述したため、ここでは説明を省略する。
【００４６】
制御部６０は、例えば、ＣＰＵ等から構成され、ＲＯＭ８１に記憶されている制御プログラムを読み出してＲＡＭ８２内に形成されたワークエリアに展開し、当該制御プログラムに従ってＦＰＤカセッテ６の各部を制御する。
【００４７】
ＲＯＭ８１は、不揮発性の半導体メモリ等により構成され、制御部６０で実行される制御プログラム、各種プログラム等を記憶する。
【００４８】
ＲＡＭ８２は、制御部６０により実行制御される各種処理において、ＲＯＭ８１から読み出された制御部６０で実行可能な各種プログラム、入力若しくは出力データ、及びパラメータ等を一時的に記憶するワークエリアを形成する。
【００４９】
通信部８３は、ＩＥＥＥ８０２．１１規格に準拠した無線ＬＡＮにより、基地局５を介して、コンソール７との間で各種情報の無線通信を行うものである。
〈ＰＤＡ〉
ＰＤＡ１０ａは、コンピュータのもつ機能のうちいくつかを実装した携帯情報端末装置であり、クレードル１０ｂを介してコンソール７から撮影オーダ情報を受信したり、当該撮影オーダ情報を表示したりすることができる。なお、このＰＤＡ１０ａとしては、例えば、携帯電話機やノート型ＰＣ（Ｐｅｒｓｏｎａｌ  Ｃｏｍｐｕｔｅｒ）などを用いても良い。
【００５０】
図２（Ｃ）は、ＰＤＡ１０ａの要部構成を示すブロック図である。図２（Ｃ）に示すように、ＰＤＡ１０ａの制御系は、制御部１００、ＲＯＭ１０１、ＲＡＭ１０２、記憶部１０３、入力操作部１０４、表示部１０５、通信部１０６、読取部１０７等を備え、各部はバス１１０により接続されている。
【００５１】
制御部１００は、例えば、ＣＰＵ等から構成され、ＲＯＭ１０１に記憶されている制御プログラムを読み出してＲＡＭ１０２内に形成されたワークエリアに展開し、当該制御プログラムに従ってＰＤＡ１０ａの各部を制御する。
【００５２】
ＲＯＭ１０１は、不揮発性の半導体メモリ等により構成され、制御部１００で実行される制御プログラム等を記憶する。
【００５３】
ＲＡＭ１０２は、制御部１００により実行制御される各種処理において、ＲＯＭ１０１から読み出された制御部１００で実行可能な各種プログラム、入力若しくは出力データ、及びパラメータ等を一時的に記憶するワークエリアを形成する。
【００５４】
記憶部１０３は、コンソール７から送信された少なくとも二以上の撮影オーダ情報を記憶したり、ＣＲカセッテ９のカセッテＩＤやＦＰＤカセッテ６のカセッテＩＤを撮影オーダ情報と対応付けて記憶したりする。
【００５５】
入力操作部１０４は、例えば、複数の入力ボタンなどで形成され、このボタンを押下することにより、当該押下に基づく入力信号を制御部１００に出力する。
【００５６】
表示部１０５、ＣＲＴやＬＣＤ等を備えて構成され、制御部１４から出力され入力される表示信号の指示に従って、各種画面を表示するようになっている。例えば、記憶部１０３に記憶された二以上の撮影オーダ情報のうち、入力操作部１０４により入力された一の撮影オーダ情報を表示したりする。
【００５７】
読取部１０７は、半導体レーザ、ＬＥＤ（Ｌｉｇｈｔ  Ｅｍｉｔｔｉｎｇ  Ｄｉｏｄｅ）などの発光体やＣＣＤ（Ｃｈａｒｇｅ  Ｃｏｕｐｌｅｄ  Ｄｅｖｉｃｅ）などの撮像素子を備えている。そして、この読取部１０７は、制御部１００による制御に従って発光体を発光させて所定の面（ＣＲカセッテ９のバーコード）へ光を照射するとともに、照射方向の画像を撮像することによりバーコードの画面を撮影する。そして撮像素子により撮影した画像を制御部１００に出力する。
【００５８】
通信部１０６は、ＩＥＥＥ８０２．１１規格に準拠した無線ＬＡＮにより、基地局５を介して、コンソール７との間で各種情報の無線通信を行うものである。
【００５９】
以下、コンソール７を主としてＲＩＳ１の動作を説明する。
【００６０】
図９は、コンソール７の動作を説明するフローチャートである。この図を参照しつつ、ＰＤＡ１０ａを携帯して回診撮影するときのコンソール７の動作を説明する。なお、この実施形態においては、予め、医師や受付担当者により放射線撮影に係る複数の撮影オーダ情報が入力され、図５に示す撮影オーダ情報リストが管理サーバ２の外部記憶装置に記憶されているものとする。
【００６１】
まず、放射線撮影を開始するにあたり、医師又は放射線技師等の操作者がコンソール７の入力操作部１８を操作し、放射線撮影を開始する旨の情報を入力する。コンソール７の制御部１４は、入力操作部１８から放射線撮影を開始する旨の情報を受けると、管理サーバ２の外部記憶装置に記憶された撮影オーダ情報リストを受信し、当該撮影オーダ情報リストを記憶部２１に記憶する（ステップＳ１）。
【００６２】
そして、操作者は入力操作部１８を操作し、ＰＤＡを使用して回診撮影を行う旨の入力を行う。制御部１４は、入力操作部１８からの入力を受けて、撮影モード入力画面１７３を表示部１７に表示する（ステップ２）。
【００６３】
図６は、撮影モードを入力する撮影モード入力画面１７３を表示部１７に表示した例である。図６に示すように、撮影モード入力画面１７３には、その中央部に「ＣＲモードボタン」１７３ａ、「ＦＰＤモードボタン」１７３ｂが設けられているとともに、その下部に「決定ボタン」１７３ｃ及び「戻るボタン」１７３ｄが設けられている。操作者は、入力操作部１８を操作し、「ＣＲモードボタン」１７３ａあるいは「ＦＰＤモードボタン」１７３ｂをクリックし、これに問題がなければ「決定ボタン」１７３ｃをクリックする。
【００６４】
ここで、ＣＲモードとは、ＣＲカセッテ９を用いて回診撮影を行うモードであり、ＦＰＤモードとは、ＦＰＤカセッテ６を用いて回診撮影を行うモードである。操作者は、一度の回診で撮影する撮影枚数、撮影オーダ情報の患者情報や撮影情報、回診予定の患者がいる病室とカセッテの配置場所との位置関係などの基づいて、ＣＲモードかＦＰＤモードかを選択する。
【００６５】
制御部１４は、入力操作部１８からの入力を受けて、以下の処理を行う。
〈ＣＲモードの場合〉
制御部１４は、操作入力部１８からＣＲモードの入力を受けると（ステップＳ３でＣＲモード）、今回の撮影に対応する撮影オーダ情報を入力するための入力画面１７１を表示部１７に表示する（ステップＳ１０）。
【００６６】
図７は、撮影オーダ情報を入力する入力画面１７１を表示部１７に表示した例である。図７に示すように、入力画面１７１には、記憶部２１に記憶された撮影オーダ情報リストを表示するための第１の撮影オーダ情報表示欄１７１ａが設けられている。そして、撮影オーダ情報リストに含まれる各撮影オーダ情報は「撮影オーダＩＤ」Ｐ１、「患者ＩＤ」Ｐ２、「患者氏名」Ｐ３、「性別」Ｐ４、「年齢」Ｐ５、「病室」Ｐ６、「診療科」Ｐ７、「撮影部位」Ｐ８、「撮影方向」Ｐ９を含んで構成されている。操作者は、表示部１７の第１の撮影オーダ情報表示欄１７１ａを確認しつつ入力操作部１８を操作し、今回撮影予定である全ての撮影オーダ情報の項目をクリックする。そして、撮影オーダ情報の入力が完了すると、「決定ボタン」１７１ｃをクリックする。
【００６７】
制御部１４は、入力操作部１８からの入力を受けて、記憶部２１に記憶された撮影オーダ情報リストの中から入力された全ての撮影オーダ情報を選択する（ステップＳ１１）。そして、ステップ３で設定された撮影モードの情報及びステップ１１で選択された全ての撮影オーダ情報をＰＤＡ１０ａに送信し（ステップＳ１２）、処理は終了となる。
【００６８】
その後、操作者は、ＰＤＡ１０ａをクレードル１０ｂから取り外し、撮影予定の患者がいる病室１００に、回診用放射線照射装置４、撮影枚数分のＣＲカセッテ９及びＰＤＡ１０ａを運び、放射線撮影を実行することになる。具体的には、まず操作者は、ＰＤＡ１０ａの入力操作部１０４を操作し、コンソール７から送信されて記憶部２１に記憶された撮影オーダ情報のうち、今から撮影する一の撮影オーダ情報を表示部１０５に表示させる。通常、撮影オーダ情報の「撮影オーダＩＤ」Ｐ１が若い順に撮影を実施するので、まず始めに「撮影オーダＩＤ」Ｐ１が最も若い撮影オーダ情報を表示させる。
【００６９】
また、操作者は、撮影枚数分あるＣＲカセッテ９の中から撮影に使用する一のＣＲカセッテ９を選択し、当該ＣＲカセッテ９のバーコードを読取部１０７で読み取り、ＣＲカセッテ９のカセッテＩＤを取得する。そして、当該カセッテＩＤと表示部１０５に表示された撮影オーダ情報とを対応付け、これを対応関係情報として記憶部２１に記憶させる。
【００７０】
そして、操作者は、表示部１０５に表示された撮影オーダ情報により患者の撮影部位や撮影方向などを確認した後、選択された一のＣＲカセッテ９を撮影部位に対応する箇所に設置する。その後、回診用放射線照射装置４を操作して放射線を照射し、ＣＲカセッテ９に放射線画像に対応する放射線量を蓄積させる。
【００７１】
上記の撮影を繰り返し、記憶部２１に記憶された全ての撮影オーダ情報に対応する撮影が終了すると、操作者は、撮影枚数分のＣＲカセッテ９を読取装置３に挿入し、ＣＲカセッテ９毎に放射線画像データとカセッテＩＤとを取得する。そして、放射線画像データとカセッテＩＤとを対応付けてコンソール７に送信する。また、ＰＤＡ１０ａをクレードル１０ｂに装着し、ＰＤＡ１０ａの記憶部２１に記憶された撮影オーダ情報とカセッテＩＤとの対応関係情報をコンソール７に送信する。
【００７２】
そして、コンソール７において、ＣＲカセッテ９のカセッテＩＤに基づいて、ＣＲカセッテ９から送信された放射線画像データとＰＤＡ１０ａから送信された撮影オーダ情報とを対応付ける。このとき、コンソール７には、放射線画像データとＣＲカセッテの対応関係、撮影オーダ情報とＣＲカセッテの対応関係がそれぞれ送信されているので、これらに基づいて放射線画像データと撮影オーダ情報とを正確に対応付けることができる。
〈ＦＰＤモードの場合〉
制御部１４は、操作入力部１８からＦＰＤモードの入力を受けると（ステップＳ３でＦＰＤモード）、今回の撮影に対応する撮影オーダ情報を入力するための入力画面１７１（図７参照）を表示部１７に表示する（ステップＳ４）。
【００７３】
操作者は、表示部１７の第１の撮影オーダ情報表示欄１７１ａを確認しつつ入力操作部１８を操作し、今回の撮影に対応する一の撮影オーダ情報が表示された項目をクリックする。ここでは、「撮影オーダＩＤ」Ｐ１が「００１」である撮影オーダ情報の項目がクリックされたこととする。
【００７４】
制御部１４は、入力操作部１８からの入力を受けて、記憶部２１に記憶された撮影オーダ情報リストの中から「撮影オーダＩＤ」Ｐ１が「００１」である一の撮影オーダ情報を選択する（ステップＳ５；撮影オーダ情報選択手段）。そして、この選択された一の撮影オーダ情報と記憶部２１に記憶された他の撮影オーダ情報とが所定の関係を有するか否かを判別する（ステップＳ６；判別手段）。具体的には、選択された一の撮影オーダ情報に含まれる「患者ＩＤ」Ｐ２と他のそれぞれの撮影オーダ情報に含まれる「患者ＩＤ」Ｐ２とが同一であるか否か、すなわち、他の撮影オーダ情報の「患者ＩＤ」Ｐ２が「１０００８５」であるか否かを判別する。そして、他の撮影オーダ情報の中で「患者ＩＤ」Ｐ２が「１０００８５」である撮影オーダ情報を判別結果画面１７２として表示部１７に表示する（ステップＳ７）。
【００７５】
図８は、判別結果を示す判別結果画面１７２を表示部１７に表示した例を示す図である。この図８に示すように、判別結果画面１７２の上部には、ステップＳ５で選択された一の撮影オーダ情報を表示するための選択済み撮影オーダ情報表示欄１７２ａが設けられている。また、判別結果画面１７２の中央には、選択された撮影オーダ情報と同一の「患者ＩＤ」Ｐ２を有する撮影オーダ情報を表示するための第２の撮影オーダ情報表示欄１７２ｂが設けられている。また、判別結果画面１７２の下部には、「決定ボタン」１７２ｃ及び「戻るボタン」１７２ｄが設けられている。なお、後述するように、第２の撮影オーダ情報表示欄１７２ｂに表示された撮影オーダ情報のみに追加選択の許可が与えられており、これが本発明における許可手段に相当する。
【００７６】
操作者は、表示部１７の第２の撮影オーダ情報表示欄１７２ｂを確認しつつ入力操作部１８を操作し、第２の撮影オーダ情報表示欄１７２ｂに表示された撮影オーダ情報の中から所望する撮影オーダ情報の項目をクリックする。通常、１度の撮影フローでは、複数の撮影オーダ情報を選択し、複数の放射線撮影をまとめて実施する方が効率が良いため、ここでは、「撮影オーダＩＤ」Ｐ１が「００２」及び「００３」を有する撮影オーダ情報がともにクリックされたこととする。そして、撮影オーダ情報の入力が完了すると、「決定ボタン」１７２ｃをクリックする。
【００７７】
コンソール７の制御部１４は、入力操作部１８からの入力を受けて、「患者ＩＤ」Ｐ２が「１０００８５」である、すなわち「撮影オーダＩＤ」Ｐ１が「００２」及び「００３」である撮影オーダ情報を追加選択する（ステップＳ８）。そして、ステップＳ５で選択された撮影オーダ情報と、ステップＳ８で選択された撮影オーダ情報とを対応付けた後（ステップＳ９）、ステップ３で設定された撮影モードの情報及びステップ９で選択された撮影オーダ情報をＰＤＡ１０ａに送信し（ステップＳ１２）、処理は終了となる。
【００７８】
その後、操作者は、ＰＤＡ１０ａをクレードル１０ｂから取り外し、撮影予定の患者がいる病室１００に、回診用放射線照射装置４、一のＦＰＤカセッテ６及びＰＤＡ１０ａを運び、放射線撮影を実行することになる。具体的には、まず操作者は、ＰＤＡ１０ａの入力操作部１０４を操作し、コンソール７から送信されて記憶部２１に記憶された３つの撮影オーダ情報とＦＰＤカセッテ６のカセッテＩＤとを対応付け、これを対応関係情報として記憶部２１に記憶させる。ここで、この対応付けを行う際にＦＰＤカセッテ６のカセッテＩＤを得る方法としては、例えばＦＰＤカセッテ６の筺体表面に貼り付けられたカセッテＩＤを入力操作部１０４で入力するようにしても良いし、赤外線通信を行ってＦＰＤカセッテ６からカセッテＩＤを受信するようにしても良い。
【００７９】
そして、操作者は、ＰＤＡ１０ａの入力操作部１０４を操作し、記憶部１０３に記憶された３つの撮影オーダ情報のうち、今から撮影する一の撮影オーダ情報を表示部１０５に表示させる。通常、撮影オーダ情報の「撮影オーダＩＤ」Ｐ１が若い順に撮影を実施するので、まず始めに「撮影オーダＩＤ」Ｐ１が最も若い撮影オーダ情報を表示させる。
【００８０】
そして、操作者は、表示部１０５に表示された撮影オーダ情報により患者の撮影部位や撮影方向などを確認した後、ＦＰＤカセッテ６を撮影部位に対応する箇所に設置する。そして、回診用放射線照射装置４を操作して放射線を照射し、ＦＰＤカセッテ６により放射線画像データを生成して、画像記憶部６６に記憶させる。
【００８１】
上記の撮影を繰り返し、３つ撮影オーダ情報に対応する撮影が終了すると、操作者は、ＦＰＤカセッテ６に設けられた送信ボタン（図示せず）を押下し、画像記憶部６６に記憶された３撮影分の放射線画像データを、撮影が実施された順序（撮影順）で、基地局５を介してコンソール７に送信する。このとき、放射線画像データにＦＰＤカセッテ６のカセッテＩＤを付帯させて送信する。その後、ＰＤＡ１０ａをクレードル１０ｂに装着し、ＰＤＡ１０ａの記憶部２１に記憶された撮影オーダ情報とカセッテＩＤとの対応関係情報をコンソール７に送信する。
【００８２】
そして、コンソール７において、ＦＰＤカセッテ６から送信された３撮影分の放射線画像データとＰＤＡ１０ａから送信された３つの撮影オーダ情報とをそれぞれ対応付ける。なお、この対応付けは、ＦＰＤカセッテ６から放射線画像データが送信された送信順（撮影順）と、「撮影オーダＩＤ」Ｐ１の若い順とに基づいて行われる。すなわち、上述したように、通常の撮影では、「撮影オーダＩＤ」Ｐ１の若い順に撮影が実行されるとともに、この撮影順で放射線画像データがＦＰＤカセッテ９の画像記憶部６６に記憶される。したがって、コンソール７において、放射線画像データの撮影順（送信順）と「撮影オーダＩＤ」Ｐ１の若い順とに基づいて対応付けを行えば、これらを自動的に正確に対応付けることができる。
【００８３】
しかし、例えば操作者や患者の都合により、「撮影オーダＩＤ」Ｐ１の若い順に撮影ができなかった（しなかった）場合、「撮影オーダＩＤ」Ｐ１の若い順と撮影順とは異なるため、上述の方法により放射線画像データと撮影オーダ情報とを対応付けると、誤って対応付けてしまうことになる。そして、このとき、３つの撮影オーダ情報に撮影部位が同一である（あるいは類似する）撮影オーダ情報が含まれると、この撮影オーダ情報に基づいて撮影され、生成された放射線画像データも同一（あるいは類似）になる。この場合、操作者は放射線画像データをそれぞれ見分けることができないため、放射線画像データと撮影オーダ情報との誤った対応付けに気づくことが困難となる。
【００８４】
そこで、ＦＰＤモードの場合、上記ステップ６〜ステップ８で説明した手順により、ＰＤＡ１０ａに送信する撮影オーダ情報は、同一の患者の撮影オーダ情報のみを送信できるようにしている。通常、同一患者を複数回撮影する場合、１度の撮影フロー中に同一部位や類似する部位を重複して撮影する可能性は低いため、同一患者の撮影オーダ情報に対応して生成された放射線画像データであれば、操作者は容易に見分けることができる。このため、操作者は、コンソール７の表示部１７に放射線画像データと撮影オーダ情報とを表示させ、誤った対応付けであれば入力操作部１８を操作して正確な対応付けに修正することが可能となる。
【００８５】
このように、本実施の形態のＦＰＤモードでは、一のＦＰＤカセッテ６を用いて複数撮影を行い、複数撮影分の放射線画像データを生成している。そして、この複数撮影分の放射線画像データにそれぞれ対応する複数の撮影オーダ情報を選択するにあたり、一の撮影オーダ情報が選択されると、当該一の撮影オーダ情報の「患者ＩＤ」Ｐ２と他の撮影オーダ情報の「患者ＩＤ」Ｐ２とが同一であるか否かを判別し、同一である他の撮影オーダ情報のみを追加選択できる構成としている。上述したように、通常、同一患者を複数回撮影する場合、１撮影フロー中に同一部位や類似する部位を重複して撮影する可能性は低い。
【００８６】
このため、一のＦＰＤカセッテ６により同一患者を複数回撮影し、生成された複数撮影分の放射線画像データを同時に記憶させたとしても、コンソール７にこの複数撮影分の放射線画像データを表示したときに、操作者はどの放射線画像データがどの撮影オーダ情報に対応するものか見分けることが可能である。したがって、喩え、放射線画像データと撮影オーダ情報とを誤って対応付けていたとしても、操作者はその誤った対応付けに容易に気づくことができ、これを正確な対応付けにすることができるので、放射線画像データの取り違えを防止し、ひいては、医療ミスの発生を抑止することが可能となる。
【００８７】
また、選択された一の撮影オーダ情報に基づいて、コンソール７の制御部１４がどの撮影オーダ情報であれば追加選択が可能であるかを判別するようにしている。したがって、追加で撮影オーダ情報を選択するときに、医師自身がわざわざ判断する必要がなくなるので、作業効率が向上する。
【００８８】
また、判別結果を示す判別結果画面１７２を表示部１７に表示し、この判別結果に基づいて、追加選択が許可された撮影オーダ情報を入力するように構成したので、追加選択が可能な撮影オーダ情報を一目して判断することができ、操作者による撮影オーダ情報の選択漏れを低減することが可能となる。
【００８９】
また、ＣＲモードとＦＰＤモードとを選択可能としているため、状況に応じて最適な撮影モードを選択することができ、撮影作業の効率を向上させることが可能となる。
【００９０】
なお、上述した実施の形態においては、選択された一の撮影オーダ情報と所定の関係を有する撮影オーダ情報として、選択された一の撮影オーダ情報の「患者ＩＤ」Ｐ２と同一の「患者ＩＤ」Ｐ２を有するものとして設定したが、もちろんこれに限られるものではない。例えば、選択された一の撮影オーダ情報に含まれる「撮影部位」Ｐ７と異なる「撮影部位」Ｐ７を有する撮影オーダ情報と設定したり、「撮影部位」Ｐ７及び「撮影方向」Ｐ８のうち少なくとも一方が異なる「撮影部位」Ｐ７及び「撮影方向」Ｐ８を有する撮影オーダ情報と設定したりしても良い。
【００９１】
このように設定することで、異なる患者を撮影した複数の放射線画像データを一のＦＰＤカセッテ６に同時に記憶させたとしても、操作者はどの放射線画像データがどの撮影オーダ情報に対応するものか見分けることが可能である。したがって、１度の撮影フローで複数の患者をまたがって放射線撮影を実施することが可能となり、撮影効率が一層向上する。一方、例えば、乳房部位の上下方向（ＣＣともいう）のＬ（左）、Ｒ（右）を撮影する場合、「撮影方向」Ｐ８がＬとＲで異なったとしてもそれらの放射線画像データの見分けがつかないので、放射線画像データを取り違える恐れがある。したがって、この乳房部位のＣＣ−Ｌ、ＣＣ−Ｒのように放射線画像データの見分けがつかない場合は、同時に選択することを禁止する。このように、本発明における所定の関係を有するとは、操作者が放射線画像データを見分けることができる範囲で、個々の作業形態に応じて適宜設定することが可能である。
【００９２】
また、上述の説明では、追加で撮影オーダ情報を選択する際には、操作者による入力操作部１８からの入力を受けてそれらを選択するように構成した。しかし、上述したように、１度の撮影フローでは、複数の撮影オーダ情報を選択し、複数の放射線撮影をまとめて実施する方が撮影の効率が良いため、追加選択を許可された全ての撮影オーダ情報を自動的に選択するようにしても構わない。このように構成することで、医師は自ら撮影オーダ情報を追加で選択する必要がなくなるため作業効率が向上するともに、１度の撮影フローで撮影可能な全ての撮影オーダ情報が自動的に選択され、撮影オーダ情報の選択漏れを防止することが可能となる。
【００９３】
また、一度の回診撮影において、ＣＲモードあるいはＦＰＤモードのいずれか一方のモードにより撮影を実行したが、これらのモードを組み合わせて撮影するようにしても構わない。例えば、まずコンソール７でＦＰＤモードを設定し、一の撮影オーダ情報及び当該一の撮影オーダ情報と所定の関係を有する撮影オーダ情報をＰＤＡ１０ａに送信する。次に、ＣＲモードを設定し、ＦＰＤモード時にＰＤＡ１０ａに送信した撮影オーダ情報を除く撮影オーダ情報のうち、所望する全ての撮影オーダ情報をＰＤＡ１０ａに送信する。そして、病室１００に、回診用放射線照射装置４、一のＦＰＤカセッテ６、ＣＲモードにおける撮影枚数分のＣＲカセッテ９及びＰＤＡ１０ａを運んだ後、ＰＤＡ１０ａによりＣＲモードとＦＰＤモードとを切り替えつつ撮影を行う。
【００９４】
このように、ＣＲモードとＦＰＤモードとを組み合わせることにより、ＦＰＤカセット６で撮影すると放射線画像データの見分けがつかなくなってしまう撮影オーダ情報については、ＣＲカセッテ９を用いて撮影することができる。したがって、作業者が持ち運ぶ（使用する）カセッテの枚数を極力抑えながら、一度の撮影フローで更にまとめて撮影することができるので、撮影作業を一層効率良く行うことが可能となる。
【００９５】
また、上述の説明では、コンソール７で撮影オーダ情報と放射線画像データとを対応付けるにあたり、ＦＰＤカセッテ６から基地局５を介して放射線画像データを送信し、ＰＤＡ１０ａからクレードル１０ｂを介して撮影オーダ情報を送信するというように、これらを別々にコンソール７に送信するように構成した。しかし、これに限られることなく、例えば、撮影前にＰＤＡ１０ａからＦＰＤカセッテ６に撮影オーダ情報を送信してＦＰＤカセッテ６に記憶させておき、ＦＰＤカセッテ６からコンソール７に放射線画像データを送信する際に、撮影オーダ情報をともに送信するように構成しても構わない。
【図面の簡単な説明】
【００９６】
【図１】本発明に係るＲＩＳにおける一実施形態の概略構成を示す図である。
【図２】各装置の要部構成を示すブロック図である。（Ａ）コンソールのブロック図を示す。（Ｂ）ＦＰＤカセッテのブロック図を示す。（Ｃ）ＰＤＡのブロック図を示す。
【図３】ＦＰＤカセッテの斜視図である。
【図４】光電変換部を二次元に配列した信号検出部の等価回路図である。
【図５】撮影オーダ情報リストの一例を示す図である。
【図６】撮影モードを入力する撮影モード入力画面を表示部に表示した例である。
【図７】撮影オーダ情報を入力する入力画面を表示部に表示した例である。
【図８】判別結果を示す判別結果画面を表示部に表示した例を示す図である。
【図９】コンソールの動作を説明するフローチャートである。
【符号の説明】
【００９７】
１  ＲＩＳ
３  読取装置
４  回診用放射線照射装置
６  ＦＰＤカセッテ
７  コンソール
９  ＣＲカセッテ
１０ａ  ＰＤＡ
１４  制御部
１５  ＲＡＭ
１６  ＲＯＭ
１７  表示部
１８  入力操作部
２１  記憶部
６２  撮像パネル
６６  画像記憶部
【図１】
2008188330.tif 000003
【図２】
2008188330.tif 000004
【図３】
2008188330.tif 000005
【図４】
2008188330.tif 000006
【図５】
2008188330.tif 000007
【図６】
2008188330.tif 000008
【図７】
2008188330.tif 000009
【図８】
2008188330.tif 000010
【図９】
2008188330.tif 000011